(57)【要約】  硬質糸で被覆されているスパンデックスのコースと、硬質糸でプレーティングされている裸のスパンデックスのコースとを有する、改変された全コーススタイルから調製された布地、ならびに布地および弾性ニット衣服の製造におけるそれらの使用が提供される。【選択図】図１
2021523306.tif 000002
【特許請求の範囲】
【請求項１】
硬質糸で被覆されているスパンデックスのコースと、硬質糸でプレーティングされている裸のスパンデックスのコースとを含む、改変された全コーススタイルから調製された、布地。
【請求項２】
硬質糸で被覆されているスパンデックスのコースと、それに続く硬質糸でプレーティングされている裸のスパンデックスのコースとを含む繰り返しパターンで編まれている、請求項１に記載の布地。
【請求項３】
硬質糸で被覆されているスパンデックスの２つ以上のコースと、それに続く硬質糸でプレーティングされている裸のスパンデックスの単一のコースとを含む繰り返しパターンで編まれている、請求項１に記載の布地。
【請求項４】
硬質糸で被覆されているスパンデックスの１つ以上のコースと、それに続く硬質糸でプレーティングされている裸のスパンデックスの２つ以上のコースとを含むパターンで編まれている、請求項１に記載の布地。
【請求項５】
前記硬質糸が、ポリアミドを含む、請求項１〜４のいずれかに記載の布地。
【請求項６】
その一部分が、請求項１〜５のいずれかに記載の布地から調製される、衣服。
【請求項７】
その一部分が、請求項１〜５のいずれかに記載の布地から調製される、薄手の衣服。
【請求項８】
その一部分が、請求項１〜５のいずれかに記載の布地から調製される、靴下類。
【請求項９】
弾性ニット衣服の快適性を改善し、光沢を増加させ、および／または耐電線性を増加させるための方法であって、請求項１〜５のいずれかに記載の布地から前記衣服を調製することを含む、方法。
【請求項１０】
弾性ニット衣服のコストを下げるための方法であって、請求項１〜５のいずれかに記載の布地から前記衣服を調製することを含む、方法。
【発明の詳細な説明】
【技術分野】
【０００１】
本発明は、硬質糸で被覆されているスパンデックスのコースと、硬質糸でプレーティングされている裸のスパンデックスのコースとを有する、改変された全コーススタイルから調製された布地、および弾性ニット衣服の製造におけるそれらの使用に関する。
【背景技術】
【０００２】
靴下類などの衣服にスパンデックスを組み込むための２つの従来の選択肢としては、図１Ａに示されるような全コーススタイル、および図１Ｂに示されるような交互のコーススタイルが挙げられる。スパンデックス繊維は、例えば、ポリアミドで被覆されている場合があるか、または裸である場合があり、図１Ａに示されているような全コース、または図１Ｂに示されているような交互のコースで編まれている。
【０００３】
全コースパンティホース（ＥＣＰＨ）などの衣服は、バランスの取れたステッチを含み、通常、より高品質の衣服に提供される。典型的には、スパンデックスは、被覆されている。ＥＣＰＨは、バランスの取れた滑らかな外観、および動きの均一な自由性を提供する。しかしながら、ＥＣＰＨは、糸の品質が重要であるので、編むには困難な場合があり、したがって、ＥＣＰＨの製造コストが高くなる。さらに、エラスタンの高い収縮に起因して、ＥＣＰＨは、板張り前には、一見不透明でありサイズが小さく見える。
【０００４】
ＥＣＰＨなどの従来の全コーススタイルから調製されたスパンデックスの衣服は、既知であり、主にその優れた快適性、伸縮性、および均一性のために製造されている。しかしながら、一部のニット製造業者および小売業者は、ポリアミドのねじれに起因して衣服の輝きのほとんどが排除されるので、被覆されている糸を用いる典型的なＥＣＰＨ構造を使用して「光沢のある」または「輝きのある」薄手の衣服を作製することができないと主張している。
【０００５】
限定されないが、感触、脆弱性、および高級感のない外観を含む負の側面は、被覆されている糸構成要素を用いない裸のニット作製技術を介して調製された薄手の軽量のＥＣＰＨを望ましくないものにする。
【０００６】
したがって、輝きのある靴下類衣服が望まれる場合、輝き効果は、典型的には、交互のコース（ＡＣ）構成で、明度の高いポリアミドを使用することによって与えられる。輝きのほとんどは、非弾性コースに由来する。交互のコースのパンティホース（ＡＣＰＨ）などの衣服は、典型的には、ポリアミドで被覆されているスパンデックスのコースと、平坦なまたはテクスチャ加工されたポリアミドで被覆されているスパンデックスのコースとの交互のコースを含む。ポリアミドを含む交互のコースは、多くの場合、より長いステッチをもたらし得る。ＡＣＰＨは、ポリアミド使用時の柔軟性を高めることができ、したがってＡＣＰＨのコストを下げることができる。さらに、ＡＣＰＨは、高い輝きまたは光沢のある外観を有し得る。しかしながら、薄手のＡＣＰＨの衣服は、既知の工業技術では典型的には快適性が低く、列間の均一性が低く、電線に抵抗することが不可能である。
【０００７】
ポリアミドまたは他の硬質糸の使用時の快適性、光沢、柔軟性、および／または耐電線性が改善された、より低コストの靴下類衣服が必要とされている。
【発明の概要】
【０００８】
本発明の一態様は、硬質糸で被覆されているスパンデックスのコースと、硬質糸でプレーティングされている裸のスパンデックスのコースとを含む、改変された全コーススタイルから調製されたニット布地に関する。
【０００９】
非限定的な一実施形態では、布地は、硬質糸で被覆されているスパンデックスのコースと、それに続く硬質糸でプレーティングされている裸のスパンデックスのコースとを含む、繰り返しパターンで編まれる。
【００１０】
非限定的な代替的実施形態では、布地は、硬質糸で被覆されているスパンデックスの２つ以上のコースと、それに続く硬質糸でプレーティングされている裸のスパンデックスの単一のコースとを含むパターンで編まれる。
【００１１】
さらに別の非限定的な代替的実施形態では、布地は、硬質糸で被覆されているスパンデックスの１つ以上のコースと、それに続く硬質糸でプレーティングされている裸のスパンデックスの２つ以上のコースとを含むパターンで編まれる。
【００１２】
非限定的な一実施形態では、硬質糸は、ポリアミドを含む。
【００１３】
本発明の別の態様は、硬質糸で被覆されているスパンデックスのコースと、硬質糸でプレーティングされている裸のスパンデックスのコースとを含む、改変された全コーススタイルを有する布地から、少なくとも一部分が調製されている衣服に関する。非限定的な一実施形態では、衣服は、靴下類である。
【００１４】
本発明の別の態様は、弾性ニット布地またはその衣服の快適性を改善する、および／または光沢を増加させるための方法に関する。方法は、硬質糸で被覆されているスパンデックスのコースと、硬質糸でプレーティングされている裸のスパンデックスのコースとを含む布地から、衣服のうちの少なくとも一部分を調製することを含む。
【００１５】
本発明のさらに別の態様は、ＥＣＰＨ弾性ニット衣服のコストを下げるための方法に関する。方法は、硬質糸で被覆されているスパンデックスのコースと、硬質糸でプレーティングされている裸のスパンデックスのコースとを含む布地から、衣服のうちの少なくとも一部分を調製することを含む。
【図面の簡単な説明】
【００１６】
【図１】典型的な全コースパンティストッキング構成（図１Ａ）、典型的な交互のコースパンティストッキング構成（図１Ｂ）、および一コースおきに、ポリアミドで被覆されているスパンデックスのコースと、ポリアミドでプレーティングされている裸のスパンデックスのコースとを含む、本発明の改変された全コーススタイル（図１Ｃ）を比較した図である。
【発明を実施するための形態】
【００１７】
本開示によって提供されるのは、硬質糸で被覆されているスパンデックスのコースと、硬質糸でプレーティングされている裸のスパンデックスのコースとを有する、改変された全コーススタイルから調製された布地、これらの布地から調製された弾性ニット衣服、ならびに従来の全コースおよび／または交互のコーススタイルから調製された布地と比較して、より低コストで快適性が改良され、光沢が増加した、および／またはいくつかの実施形態では耐電線性が増加した弾性ニット衣服を製造するための方法である。
【００１８】
本明細書で使用される「スパンデックス」という用語は、エラスタンおよび／またはライクラも含むことを意味する。
【００１９】
本開示の目的に対して、光沢および／もしくは耐電線性の改善、ならびに／またはコストが比較される「従来の全コーススタイル」とは、全コースがポリアミドで被覆されているスパンデックスから編まれている布地を意味する。
【００２０】
本開示の目的に対して、快適性および／または耐電線性の改善が比較される「従来の交互のコーススタイル」とは、ポリアミドで被覆されているスパンデックスまたはポリアミドでプレーティングされている裸のスパンデックスのコースと、ポリアミドのみのコースとで一コースおきに編まれている布地を意味する。
【００２１】
本開示の目的に対して、「プレーティング」または「プレーティングされている」とは、硬質糸と裸のスパンデックス糸が、ニット全体にわたって平行に並んだ関係で保たれ、スパンデックス材料が、常に硬質糸の片側に保たれるように制御されている、２つの糸の間の関係を意味する。
【００２２】
全コースが弾性化されている、したがって技術的に快適性および伸縮性の点でそのすべての利点を備えるＥＣＰＨであるので、本開示の布地は改変された全コーススタイルから調製されている。
【００２３】
本開示の布地の弾性コースのうちの１つは、硬質糸で被覆されているスパンデックスを含む。被覆されているスパンデックスは、単一被覆、二重被覆、またはエアジェット被覆であってもよい。本開示の布地に被覆糸を使用することの重要な利点としては、限定されないが、スパンデックスが被覆され、皮膚に直接触れないことによる、プラスチックと比較してより自然な柔らかな感触、スパンデックスのつるつるした感触、および裸のスパンデックスと比較した脆弱性の低減が挙げられる。
【００２４】
本開示の布地の他の弾性コースは、硬質糸でプレーティングされている裸のスパンデックスを含む。本開示の布地に好適な任意のスパンデックスを非限定的な一実施形態で使用してもよく、スパンデックスは可融性である。
【００２５】
本発明では、任意の硬質糸を使用することができる。非限定的な例は、ポリアミド、ポリエステル、またはポリプロピレンを含み得る。非限定的な一実施形態では、硬質糸は、ポリアミドである。本開示を閲読すると当業者によって理解されるであろうように、任意のポリアミドを使用してもよく、その選択は、限定されないが、得られる布地の明度の高さ、かさ高さ、均一性、および光沢を含む所望の特徴に依存するであろう。
【００２６】
被覆されていないが依然として弾性のコースを本開示の布地に含めることにより、輝きを阻害するターンがないので、ポリアミドなどの硬質糸を輝かせることができる。したがって、本開示の布地は、典型的なＥＣＰＨと比較して高い光沢を有する。さらに、コースの一部分に裸のスパンデックスを使用することの欠点は、被覆されている他の部分のコースによって軽減され、それによって輝きのある、耐電線性の衣服を提供する。
【００２７】
２つの弾性コースの様々な繰り返しパターンを本開示の布地に使用することができ、その選択は、布地が使用される衣服および／またはニットパターンに依存し得る。
【００２８】
例えば、図１Ｃは、硬質糸で被覆されているスパンデックスのコースと、それに続く硬質糸でプレーティングされている裸のスパンデックスのコースとを含む、繰り返しパターンを示している。
【００２９】
非限定的な代替的実施形態では、布地は、硬質糸で被覆されているスパンデックスの単一のコースと、それに続く硬質糸でプレーティングされている裸のスパンデックスの２つ以上のコースとを含む繰り返しパターンで編まれていてもよい。
【００３０】
非限定的な代替的実施形態では、布地は、硬質糸で被覆されているスパンデックスの２つ以上のコースと、それに続く硬質糸でプレーティングされている裸のスパンデックスの単一のコースとを含む繰り返しパターンで編まれていてもよい。
【００３１】
靴下類では、典型的には、個別のコースのフィード数は４であり、これらはすべて同じでも異なっていてもよい。
【００３２】
しかしながら、シームレス編みでは、典型的には８フィードであり、丸編みでは３２以上のフィードが使用される。
【００３３】
本開示を閲読すると当業者によって理解されるであろうように、これらのパターンのうちのいずれか、ならびに交互のパターンを本発明に従って使用してもよく、本発明は、硬質糸で被覆されているスパンデックスのコース、続いて硬質糸でプレーティングされている裸のスパンデックスのコースの特定の繰り返しパターンまたは数に決して限定されない。
【００３４】
非限定的な一実施形態では、布地は、横編みによって調製される。
【００３５】
非限定的な一実施形態では、他の糸をフィードに追加して、例えば、布地をより重くするか、または布地にデザイン、パターン、および／もしくは色を導入する。
【００３６】
本開示はまた、硬質糸で被覆されているスパンデックスのコースと、硬質糸でプレーティングされている裸のスパンデックスのコースとを含む、改変された全コーススタイルを有するこれらの布地から、少なくとも一部分が調製されている衣服を提供する。非限定的な一実施形態では、衣服は、薄手の衣服である。非限定的な一実施形態では、衣服は、８から２０〜２５デニールの外観を有する。非限定的な一実施形態では、衣服は、靴下類または下着である。靴下類の非限定的な一実施形態では、本発明の布地は、脚部分に使用され得、パンティまたは他のセクションが典型的な構造を有する布地を含み得る。非限定的な代替的実施形態では、衣服は、薄手でない。
【００３７】
本開示によってさらに提供されるのは、弾性ニット衣類の快適性を改善し、光沢を増加させ、および／または耐電線性を増加させるための方法、ならびに弾性ニット衣類のコストを下げるための方法である。これらの方法は、硬質糸で被覆されているスパンデックスのコースと、硬質糸でプレーティングされている裸のスパンデックスのコースとを含む布地の少なくとも一部分から衣服を調製することを含む。
【００３８】
本明細書に引用されているすべての特許、特許出願、試験手順、優先文書、記事、出版物、マニュアル、およびその他の文書は、そのような開示が本発明と矛盾しない範囲で、およびそのような組み込みが許可されているすべての管轄区域について、参照により完全に組み込まれる。
【００３９】
次の実施例は、本発明およびその使用能力を実証する。本発明は、他の異なる実施形態が可能であり、そのいくつかの詳細は、本発明の範囲および趣旨から逸脱することなく、さまざまな明らかな点で変更することができる。したがって、実施例は、本質的に例示的であり、非限定的であるとみなされるべきである。
【実施例】
【００４０】
フィード、１、２、３、および４が、ポリアミド６，６の平坦な明度の高い１７ｄｔｅｘ  ３ｆｉｌで単一被覆されている２０ｄｔｅｘ可融性スパンデックス（ＬＹＣＲＡ（登録商標）ファイバー７７７Ｆ）である典型的なＥＣＰＨによって、弾性ニット衣服を調製した。
【００４１】
フィード１および３が、ＰＡ６，６の平坦な明度の高い１７ｄｔｅｘ  ３ｆｉｌで単一被覆されている２０ｄｔｅｘ可融性スパンデックス（ＬＹＣＲＡ（登録商標）ファイバー７７７Ｆ）であり、フィード２および４が、裸のＰＡ６，６の平坦な明度の高いものでプレーティングされている２０ｄｔｅｘ可融性スパンデックス（ＬＹＣＲＡ（登録商標）ファイバー７７７Ｆ）である本発明のＥＣＰＨを使用して、弾性ニット衣服を調製した。
これらの弾性ニット衣服の試験結果を、表１に示す。
【表１】
2021523306.tif 000003
【図１】
2021523306.tif 000004
【国際調査報告】
2021523306.tif 000005
2021523306.tif 000006